(57)【要約】  【課題】  保険計算の簡単化と顧客に対し保険内容を把握させ易くした保険診断設計装置の提供。  【解決手段】  自動車保険・火災保険の種別の選択と現基礎条件の選択・入力を行う選択入力手段１と、現基礎条件記憶ファイル２と、各種保険金額及び保険料を計算する計算手段３と、保険種別毎に選択可能で保険がカバーする最大限の補償範囲の内容とそのイメージをデフォルトで記憶する保険カバー範囲記憶ファイル４と、保険のカバーする補償範囲の内容とそのイメージを読み出す保険カバー範囲抽出手段５と、そのイメージ表示手段６と、保険内容ファイル７と、現基礎条件に対応する保険内容を求める現保険範囲算出手段８と、保険のカバーする補償範囲の内容の中から、現保険範囲算出手段で求めた現保険範囲の内容をカラー表示させ、それ以外の保険範囲の内容をモノクロ表示させる表示変換手段９と、計算された各種保険金額及び保険料の金額表示手段１０を有する。【選択図】        図２
2004334916.tif 000002
【特許請求の範囲】
【請求項１】
対象とする保険種別の選択又は該保険種別の選択と現基礎条件の選択・入力を行う選択入力手段と、
該選択入力手段により選択・入力された現基礎条件及び／又はデフォルトで設定された現基礎条件を記憶する現基礎条件記憶ファイルと、
該現基礎条件記憶ファイルに記憶された現基礎条件を元に各種保険金額及び保険料を計算する計算手段と、
保険種別毎に選択可能であり保険がカバーする最大限の補償範囲の内容及びその内容を表すイメージをデフォルトで記憶する保険カバー範囲記憶ファイルと、
前記選択入力手段で選択された保険種別に基づき、前記保険カバー範囲記憶ファイルから保険のカバーする補償範囲の内容及びその内容を示すイメージを読み出す保険カバー範囲抽出手段と、
そのイメージを表示するイメージ表示手段と、
１乃至複数の基礎条件の項目によって決定される保険内容を記憶する保険内容ファイルと、
該保険内容ファイルを基に、前記選択入力手段により選択・入力された現基礎条件及び／又はデフォルトで設定された現基礎条件に対応する保険内容を求める現保険範囲算出手段と、
保険のカバーする補償範囲の内容の中から、現保険範囲算出手段で求められた現保険範囲の内容に相当するものとそれ以外の保険範囲の内容に相当するものとの間で、前記イメージ表示手段に変換信号を与えて異なる表示形式で表示させる表示変換手段と、
前記計算手段により計算された各種保険金額及び保険料を表示する金額表示手段と
を有することを特徴とする保険診断設計装置。
【請求項２】
対象とする保険種別の選択又は該保険種別の選択と現基礎条件の選択・入力を行う選択入力手段と、
該選択入力手段により選択・入力された現基礎条件及び／又はデフォルトで設定された現基礎条件を記憶する現基礎条件記憶ファイルと、
該現基礎条件記憶ファイルに記憶された現基礎条件を元に各種保険金額及び保険料を計算する計算手段と、
保険種別毎に選択可能であり保険がカバーする最大限の補償範囲の内容及びその内容を表すイメージをデフォルトで記憶する保険カバー範囲記憶ファイルと、
前記選択入力手段で選択された保険種別に基づき、前記保険カバー範囲記憶ファイルから保険のカバーする補償範囲の内容及びその内容を示すイメージを読み出す保険カバー範囲抽出手段と、
そのイメージを表示するイメージ表示手段と、
１乃至複数の基礎条件の項目によって決定される保険内容を記憶する保険内容ファイルと、
該保険内容ファイルを基に、前記選択入力手段により選択・入力された現基礎条件及び／又はデフォルトで設定された現基礎条件に対応する保険内容を求める現保険範囲算出手段と、
保険のカバーする補償範囲の内容の中から、現保険範囲算出手段で求められた現保険範囲の内容に相当するものとそれ以外の保険範囲の内容に相当するものとの間で、前記イメージ表示手段に変換信号を与えて異なる表示形式で表示させる表示変換手段と、
前記計算手段により計算された各種保険金額及び保険料を表示する金額表示手段と
を有すると共に、前記イメージ表示手段に、選択入力手段を使用することによって画面を変換させることが可能な画面変換スイッチを備え、且つ該画面変換スイッチで変換された画面を表示するイメージ表示手段上に、同じく選択入力手段を使用することによって現基礎条件記憶ファイルに記憶された現基礎条件を変更することができる条件変更スイッチを備えており、
該条件変更スイッチにより現基礎条件が変更された場合に、前記計算手段に各種保険金額及び保険料を再計算させ、及び／又は前記現保険範囲算出手段に保険内容を再度求めさせ、これらを更新させる及び／又はイメージの表示形式を変更させることを特徴とする保険診断設計装置。
【請求項３】
請求項２記載の保険診断設計装置において、現基礎条件中に、保険金額及び／又は保険料を含んでおり、前記条件変更スイッチで該保険金額及び／又は保険料を変更した場合に、計算手段に保険料及び／又は保険金額を再計算させると共に、現保険範囲算出手段に保険内容を再び求めさせ、表示変換手段によりイメージ表示手段上に表示されたイメージの表示形式を変更させることを特徴とする請求項２記載の保険診断設計装置。
【発明の詳細な説明】
【技術分野】
【０００１】
本発明は、保険計算及び保険内容の把握が簡単に行える保険診断設計装置に関する。
【背景技術】
【０００２】
保険商品の設計を行う場合は、パンフレットなどを見せながら、顧客から各種条件を聞き出し、それを基に保険計算を行って、顧客の要求を満たす保険内容（保険金額や保険料を含む）を割り出していた。
【発明の開示】
【発明が解決しようとする課題】
【０００３】
顧客がそれに満足しない場合、条件を変更して再び保険計算を行い、新たな保険内容を割り出ださなければならない。しかしこの保険計算は複雑なため、その場で何回も条件変更を行って再計算させ、顧客の満足する保険内容を設計することは、事実上困難であった。また顧客にとっては、保険設計中に細かな保険条件や保険内容を必ずしも把握しているわけではなく、割り出された保険内容に満足がいかない場合も多い。それ故、保険を販売する側及び顧客の双方にとり、手間が掛かる割に、満足のいく結果が得られないという問題があった。
【０００４】
本発明は従来技術の以上のような問題に鑑み創案されたもので、保険計算が簡単に行え、且つ顧客に対し保険内容を把握させ易くした保険診断設計装置を提供せんとするものである。
【課題を解決するための手段】
【０００５】
そのため本発明に係る保険診断設計装置は、
対象とする保険種別（例えば自動車保険、火災保険などの種別）の選択又は該保険種別の選択と現基礎条件の選択・入力を行う選択入力手段と、
該選択入力手段により選択・入力された現基礎条件及び／又はデフォルトで設定された現基礎条件を記憶する現基礎条件記憶ファイルと、
該現基礎条件記憶ファイルに記憶された現基礎条件を元に各種保険金額及び保険料を計算する計算手段と、
保険種別毎に選択可能であり保険がカバーする最大限の補償範囲の内容及びその内容を表すイメージをデフォルトで記憶する保険カバー範囲記憶ファイルと、
前記選択入力手段で選択された保険種別に基づき、前記保険カバー範囲記憶ファイルから保険のカバーする補償範囲の内容及びその内容を示すイメージを読み出す保険カバー範囲抽出手段と、
そのイメージを表示するイメージ表示手段と、
１乃至複数の基礎条件の項目によって決定される保険内容を記憶する保険内容ファイルと、
該保険内容ファイルを基に、前記選択入力手段により選択・入力された現基礎条件及び／又はデフォルトで設定された現基礎条件に対応する保険内容を求める現保険範囲算出手段と、
保険のカバーする補償範囲の内容の中から、現保険範囲算出手段で求められた現保険範囲の内容に相当するものとそれ以外の保険範囲の内容に相当するものとの間で、前記イメージ表示手段に変換信号を与えて異なる表示形式で表示させる表示変換手段と、
前記計算手段により計算された各種保険金額及び保険料を表示する金額表示手段と
を有することを基本的特徴としている。
【０００６】
ここで現基礎条件とは、保険計算に必要な基礎的な条件（以下基礎条件と言う、これらはデフォルトで用意され保険計算時に入力する条件）のうち、被保険者（顧客）側で該当する或いは被保険者側で満たす特有な条件を言う。これらは、前述した選択入力手段により選択・入力されたり、現基礎条件記憶ファイルに予め設定されていたりする。
【０００７】
また保険がカバーする補償範囲の内容とは、保険で補償される保険内容（例えば自動車保険における対物・対人補償や車両補償など、或いは火災保険であれば火災補償や地震・津波・噴火補償など）の各項目を言う。
【０００８】
更にイメージ表示手段で表示されるイメージとは、例えば自動車保険の対物補償の場合、家屋に車が突っ込んだ状態のグラフィックスによる表示であったり、火災保険の火災補償の場合、家屋から火が出火した状態のグラフィックスによる表示のことであり、後述するような画面変換スイッチを備えている場合、アイコンとして表示されるようにしても良い。
【０００９】
加えて表示変換手段で異なる表示形式で表示させる場合とは、例えば両間でカラー表示にしたりモノクロ表示にしたりといった違った表示形式で表示させたり、補償されない保険内容には×印をそのグラフィックスの上に示す形式で表示させる場合を言う。
【００１０】
請求項２に記載された保険診断設計装置は、請求項１記載の前述の構成を有する他に、前記イメージ表示手段に、選択入力手段を使用することによって画面を変換させることが可能な画面変換スイッチを備え、且つ該画面変換スイッチで変換された画面を表示するイメージ表示手段上に、同じく選択入力手段を使用することによって現基礎条件記憶ファイルに記憶された現基礎条件を変更することができる条件変更スイッチを備えており、該条件変更スイッチにより現基礎条件が変更された場合に、前記計算手段に各種保険金額及び保険料を再計算させ、及び／又は前記現保険範囲算出手段に保険内容を再度求めさせ、これらを更新させる及び／又はイメージの表示形式を変更させることを特徴としている。
【００１１】
更に上記請求項２の構成として、現基礎条件中に、保険金額及び／又は保険料を含んでおり、前記条件変更スイッチで該保険金額及び／又は保険料を変更した場合に、計算手段に保険料及び／又は保険金額を再計算させると共に、現保険範囲算出手段に保険内容を再び算出させ、表示変換手段によりイメージ表示手段上に表示されたイメージの表示形式を変更させるようにしても良い。
【００１２】
上記構成では、選択入力手段で、対象となる保険種別を選択すると、保険カバー範囲記憶ファイルに記憶された選択可能であり保険がカバーする最大限の補償範囲の内容及びその内容を表すイメージが保険カバー範囲抽出手段によって読み出され、そのうち該イメージがイメージ表示手段に表示される。更に選択入力手段から選択・入力されるか或いは現基礎条件記憶ファイルにデフォルトで記憶されている現基礎条件に基づき、計算手段により保険金額乃至保険料が計算され、金額表示手段によりそれらが表示される。また保険内容ファイルを基に、現保険範囲算出手段により、前記現基礎条件に対応する保険内容が求められ、表示変換手段により、保険がカバーする最大限の補償範囲の内容の中から、現保険範囲算出手段で求められた現保険範囲の内容に相当するものとそれ以外の保険範囲の内容に相当するものとが、異なった表示形式でイメージ表示手段に表示せしめられる。そのため顧客の加入しようとしている或いは既に加入している保険の内容がグラフィカルに表示されて、該顧客にとって内容が把握し易くなると共に、保険計算が簡単に行えるようになる。
【００１３】
更に請求項２の構成では、前記イメージ表示手段に備えられた画面変換スイッチで画面変換が行われ、更に変換された画面を表示するイメージ表示手段上に設けられた条件変更スイッチにより、前記選択入力手段を使用して、現基礎条件記憶ファイルに記憶された現基礎条件の変更がなされた場合、必要に応じて前記計算手段によって各種保険金額及び保険料が再計算され、金額表示手段によりこれらが再表示される。また同じく必要に応じて保険内容が再度求められ、保険画面表示を更新する（イメージの表示形式を変更させる）。そのため保険を設定する場合の基礎となる条件について何らかの変更があった場合に、変更後の保険の再計算が速やかに行われ、且つ保険内容が再表示されることになり、顧客にとってより一層内容が把握し易くなる。
【００１４】
また現基礎条件中に、保険金額や保険料が含まれる構成の場合は、前記条件変更スイッチで該保険金額や保険料が変更された場合、計算手段により保険料や保険金額の再計算が行われると共に、現保険範囲算出手段によって保険内容が再び算出されて、更に表示変換手段によりイメージ表示手段上にその変更後の内容が前回とは異なった表示形式で表示されるため、顧客が望む保険金額乃至保険料による保険設計が可能になると共に、顧客にとっても保険内容がより分かり易くなる。
【発明の効果】
【００１５】
以上詳述した本発明の構成によれば、顧客の加入しようとしている或いは既に加入している保険の内容をグラフィカルに表示して、該顧客にとって内容が把握し易くなると共に、保険計算が簡単に行えるようになる。
【００１６】
また請求項２の構成によれば、条件変更スイッチを使用して、保険を設定する場合の基礎となる条件について変更を行うことができ、その場合に、変更後の保険金額や保険料の再計算並びに保険内容の再算出が速やかに行われ、且つその保険でカバーされる範囲の内容がイメージとして再表示されることになるため、顧客にとってより一層内容が把握し易くなる。
【００１７】
更に現基礎条件中に、保険金額及び／又は保険料が含まれる構成の場合は、前記条件変更スイッチで該保険金額及び／又は保険料が変更された場合、保険料及び／又は保険金額の再計算が行われると共に、現保険範囲の保険内容が再び算出されて、更にイメージ表示手段上にその変更後の内容が前回とは異なった表示形式で表示されるため、顧客が望む保険金額乃至保険料による保険設計が可能になると共に、顧客にとっても保険内容がより分かり易くなる。
【発明を実施するための最良の形態】
【００１８】
以下請求項３に記載された本発明に係る保険診断設計装置の一実施形態構成につき説明する。図１は本装置を構成するコンピュータの構成を示すブロック図である。図中１００ａは選択入力手段を構成するキーボード、１００ｂは同じく選択入力手段を構成するポインティングデバイスである。１１０はコンピュータ内に備えられたＣＰＵなどの演算制御ユニットであり、計算手段による保険金額及び保険料の演算、保険カバー範囲抽出手段による保険補償範囲の内容及びそのイメージの読み出し、現保険範囲算出手段による保険内容の算出、各表示手段の画面出力制御及び画面変換手段によるイメージ表示手段の画面出力制御、各ファイルに保存されるデータの入出力制御等を行う。１２０は選択入力画面及び出力画面を表示する各表示手段を構成するＣＲＴ、１３０は現基礎条件を記憶する現基礎条件記憶ファイル、保険がカバーする最大限の補償範囲及びその内容を表すイメージを記憶する保険カバー範囲記憶ファイル、保険内容を記憶する保険内容ファイルなどの各ファイルを構成するＲＡＭ・ＲＯＭなどの内部記憶装置やハードディスク等の外部記憶装置からなる記憶装置である。
【００１９】
また図２は、本実施形態の構成の機能ブロック図であり、１は前記キーボード１００ａ及びポインティングデバイス１００ｂで構成される選択入力手段、２は記憶装置１３０で構成される現基礎条件記憶ファイル、３は演算制御ユニット１１０で構成される計算手段、４は記憶装置１３０で構成される保険カバー範囲記憶ファイル、５は演算制御ユニット１１０で構成される保険カバー範囲抽出手段、６はＣＲＴ１３０で構成されるイメージ表示手段、７は同じく記憶装置１３０で構成される保険内容ファイル、８は演算制御ユニット１１０で構成される現保険範囲算出手段、９は演算制御ユニット１１０で構成される表示変換手段、１０はＣＲＴ１３０で構成される金額表示手段である。その他本実施形態では、イメージ表示手段６上に、画面を後述のサジェスチョン画面に変換させることのできる画面変換スイッチ６０を、画面変換アイコンとして備えると共に、前記ポインティングデバイス１００ｂで該アイコンをクリックすることで変換されるサジェスチョン画面上に、更に前記キーボード１００ａによる入力及びポインティングデバイス１００ｂによるクリックで、現基礎条件記憶ファイル２に記憶された現基礎条件を変更することができる条件変更スイッチ６１を、条件変更アイコンとして備えている。
【００２０】
選択入力手段１では、画面表示に従って、ポインティングデバイス１００ｂを操作することによって、対象とする自動車保険と火災保険の保険種別が選択できるようにすると共に、キーボード１００ａによって現基礎条件が入力できるようにしている。本構成において現基礎条件とは、自動車保険の場合、保険対象となる車の種類、被保険者、及びその家族とこれらの者の年齢・免許の有無、選択対象となる契約種類、選択可能な保険特約、既契約情報などを言い、また火災保険の場合、建物・家財の種別、対象物件の住所や住宅専用・店舗併用・店舗専用などの種別、対象物件の構造や延べ床面積、選択対象となる契約種類、選択可能な保険特約、既契約情報などの各種条件を言う。
【００２１】
現基礎条件記憶ファイル２には、前記選択入力手段１により選択・入力された現基礎条件が記憶されると共に、その入力のない項目でも統計乃至独自の方式で予め求められている現基礎条件が記憶されている。
【００２２】
計算手段３は、保険計算用に用意された特定の計算式に基づき、前記現基礎条件記憶ファイル２に記憶された現基礎条件を参照して、各種保険の保険金額及び保険料を計算する。
【００２３】
保険カバー範囲記憶ファイル４には、保険種別毎に選択可能であり保険がカバーする最大限の補償範囲の内容及びその内容を表すイメージがデフォルトで記憶されている。即ち本構成では、自動車保険で補償される対物・対人補償や車両補償など、また火災保険で補償される火災補償や地震・津波・噴火補償などの各項目の全てが記憶されている。
【００２４】
保険カバー範囲抽出手段５は、保険カバー範囲記憶ファイル４から、保険のカバーする補償範囲の内容及びその内容を示すイメージを読み出す。本構成では演算制御ユニット１１０で構成されているが、それに限定されず、ＤＭＡなどを用いても良い。
【００２５】
イメージ表示手段６は、前記選択入力手段１で選択された保険種別に基づき、前記保険カバー範囲記憶ファイル４から読み出されるところの、保険がカバーする補償範囲の内容を表すイメージを表示するウィンドウ画面である。図３(ａ)に自動車保険の場合のイメージ表示ウィンドウ画面を、また同図(ｂ)に火災保険の場合のイメージ表示ウィンドウ画面を各示す。
【００２６】
保険内容ファイル７には、被保険者側に特有な現基礎条件とは関係なく、１乃至複数の基礎条件の項目によって予め決定される一般的な保険内容が記憶されている。自動車保険の場合、被保険者及びその家族によって特定される家族限定特約やこれらの者の年齢・免許の有無によって決定される運転者年齢特約、その他の選択可能な保険特約（搭乗者の怪我や死亡に対する補償など）、また火災保険の場合、建物か家財かの保険対象の選択及び掛け捨て型か積立型かの保険種別の選択によって決定される保険の基礎的な枠組み、家屋・家財の簡易評価額テーブル、その他の選択可能な保険特約が記憶されている。
【００２７】
現保険範囲算出手段８は、上記保険内容ファイル７を基に、前記選択入力手段１により選択・入力された現基礎条件及び／又はデフォルトで設定された現基礎条件に対応する保険内容を求める。即ち被保険者側に特有な現基礎条件を保険内容ファイル７の対応する基礎条件に当てはめ、それから被保険者に適合する保険内容を算出する。
【００２８】
表示変換手段９は、上述の保険がカバーする補償範囲の内容(図３参照)の中から、現保険範囲算出手段８で求められた現保険範囲の内容に相当するものとそれ以外の保険範囲の内容に相当するものとの間で、前記イメージ表示手段６に変換信号を与えることで異なる表示形式で表示させる。具体的には被保険者側に補償される保険内容に該当する項目はカラー表示され、非補償の保険内容に該当する項目はモノクロ表示される。もちろんこれに限定されず、非補償の保険内容に該当する項目のグラフィックスイメージの上に×印などを表示させるようにしても良い。
【００２９】
金額表示手段１０は、前記計算手段３により計算された各種保険の保険金額及び保険料を表示するウィンドウ画面である。本構成では、後述するように現基礎条件中に保険金額及び保険料を含んでいるため、該金額表示手段１０のウィンドウ画面上に金額入力・変更のための入力ウィンドウを有しており、この画面表示上をポインティングデバイス１００ｂでクリックすることで、前記選択入力手段１により、該保険金額及び保険料が入力できるようになっている。
【００３０】
画面変換スイッチ６０は、前記イメージ表示手段６上に表示された図３のようなイメージ画面上のグラフィックスがアイコンとして設定され構成されるものであり、選択入力手段１のポインティングデバイス１００ｂをその上でクリックして、図４に示す他のサジェスチョン画面に変換させることができるようになっている。
【００３１】
条件変更スイッチ６１は、前記画面変換スイッチ６０で変換されたサジェスチョン画面上に表示された図４のようなグラフィックスがアイコン６１ａ〜６１ｃとして設定されて構成されるものであり、同じくポインティングデバイス１００ｂをその上でクリックすることによって、現基礎条件記憶ファイル２に記憶された現基礎条件を変更することができる機能を有しており、これにより現基礎条件が変更された場合に、前記計算手段３に対し、各種保険の保険金額及び保険料を再計算させると共に、現保険範囲算出手段８に保険内容を再度求めさせ、これらの更新及び／又はイメージの表示形式の変更を行わせる。
【００３２】
更に本構成では、現基礎条件中に、保険金額及び／又は保険料を含んでおり、前記条件変更スイッチ６１で該保険金額及び／又は保険料を変更した場合に、計算手段３に保険料及び／又は保険金額を再計算させ、更に現保険範囲算出手段８に保険内容を再び算出させ、表示変換手段９によりイメージ表示手段６上のイメージ表示をカラー表示或いはモノクロ表示に変更させるようになっている。
【００３３】
以上の構成からなる本実施形態構成では、図５に示されるように、選択入力手段１で、対象となる保険種別を選択（自動車保険と火災保険の選択）する（Ｓ１、Ｓ２、Ｓ３）と、保険カバー範囲記憶ファイル４に記憶された選択可能であって保険がカバーする補償範囲の内容及びその内容を表すイメージが保険カバー範囲抽出手段５によって読み出され（Ｓ４、Ｓ５）、イメージ表示手段６に、図３(ａ)に示される自動車保険の画面表示（Ｓ６）、或いは同図(ｂ)に示される火災保険の画面表示（Ｓ７）として、示される。更に選択入力手段１から選択・入力されるか（Ｓ８）或いは現基礎条件記憶ファイル２にデフォルトで記憶されている（Ｓ９）被保険者側の現基礎条件に基づき、計算手段３により保険金額乃至保険料が自動的に計算され（Ｓ１０）、金額表示手段１０上のウィンドウ画面にそれらが表示される（Ｓ１１）。また保険内容ファイル７を基に、現保険範囲算出手段８により、前記現基礎条件に対応する保険内容が求められ（Ｓ１２）、表示変換手段９により、保険がカバーする補償範囲の内容の中から、現保険範囲算出手段８で求められた現保険範囲の内容に相当するものがカラー表示され（Ｓ１３）、それ以外の保険範囲の内容に相当するものはモノクロ表示されて（Ｓ１４）、イメージ表示手段６に示される。そのため顧客が加入しようとしている或いは既に加入している保険の内容がグラフィカルに表示され、該顧客にとって内容が把握し易くなる。
【００３４】
また図６に示されるように、前記イメージ表示手段６に備えられた画面変換スイッチ６０であるアイコンをポインティングデバイス１００ｂでクリックすること（Ｓ１５）により、画面変換が行われて図４に示すようなサジェスチョン画面に画面表示が変更され（Ｓ１６）、更に同サジェスチョン画面上の条件変更スイッチ６１であるアイコン６１ｂ又は６１ｃを同ポインティングデバイス１００ｂでクリックすること（Ｓ１７）により、現基礎条件記憶ファイル２に記憶された現基礎条件の変更がなされた場合（現基礎条件記憶ファイルへのオーバーライト、Ｓ１８）には、前記計算手段３によって各種保険の保険金額及び保険料が再計算され（Ｓ１９）、金額表示手段１０でこれらの再表示がなされる（Ｓ２０）。また保険内容の変更を伴うものであれば（Ｓ２１）、現保険範囲算出手段８によって保険内容が再度求められ（Ｓ２２）、保険画面表示を更新する（保険項目毎のモノクロ表示・カラー表示の変更を行う、Ｓ２３）。そのため保険を設定する場合の基礎となる条件について何らかの変更があった場合に、変更後の保険の再計算が速やかに行われ、且つ保険内容が再表示されることになり、顧客にとってより一層内容が把握し易くなる。なお、金額表示手段１０の金額入力・変更のための入力ウィンドウ上をポインティングデバイス１００ｂでクリックすると、前記選択入力手段１のキーボード１００ａから、該保険金額及び保険料が入力できるようになっており、これらの項目は条件変更スイッチ６１を使うことにより、或いは該入力ウィンドウを使うことで、入力・変更できるようになっている。
【００３５】
また現基礎条件中に、保険金額及び／又は保険料が含まれているため、前記条件変更スイッチ６１で該保険金額及び／又は保険料が変更された場合、計算手段３により保険料及び／又は保険金額の再計算が行われると共に、現保険範囲算出手段８によって保険内容が再び算出されて、更に表示変換手段９によりイメージ表示手段６上にその変更後の内容が前回とは異なった表示形式、即ちカラー或いはモノクロで表示されるようになるため、顧客が望む保険金額乃至保険料による保険設計が可能になると共に、顧客にとっても保険内容がより分かり易くなる。
【００３６】
尚、本発明の保険診断設計装置は、上述の図示例にのみ限定されるものではなく、本発明の要旨を逸脱しない範囲内において種々変更を加え得ることは勿論である。
【図面の簡単な説明】
【００３７】
【図１】本装置を構成するコンピュータの構成を示すブロック図である。
【図２】本実施形態の構成の機能ブロック図である。
【図３】自動車保険の場合のイメージ表示ウィンドウ画面と火災保険の場合のイメージ表示ウィンドウ画面を示す説明図である。
【図４】画面変換によって表示されるようになったサジェスチョン画面を示す説明図である。
【図５】本実施形態構成の装置の基本処理フローを示すフローチャートである。
【図６】上記基本処理フローに連続する処理フローを示すフローチャートである。
【符号の説明】
【００３８】
１            選択入力手段
２            現基礎条件記憶ファイル
３            計算手段
４            保険カバー範囲記憶ファイル
５            保険カバー範囲抽出手段
６            イメージ表示手段
７            保険内容ファイル
８            現保険範囲算出手段
９            表示変換手段
１０            金額表示手段
６０            画面変換スイッチ
６１            条件変更スイッチ
６１ａ、６１ｂ  アイコン
１００ａ          キーボード
１００ｂ          ポインティングデバイス
１１０            演算制御ユニット
１２０            ＣＲＴ
１３０            記憶装置
【図１】
2004334916.tif 000003
【図２】
2004334916.tif 000004
【図３】
2004334916.tif 000005
【図４】
2004334916.tif 000006
【図５】
2004334916.tif 000007
【図６】
2004334916.tif 000008